(57)【特許請求の範囲】
【請求項１】
発光可能なＬＥＤ部と、
前記ＬＥＤ部の発光パターンを設定する発光パターン設定手段と、
前記ＬＥＤ部を発光させるための制御信号を発生する制御信号発生手段と、
前記ＬＥＤ部の発光時間を設定する発光時間設定手段とを有し、
発光パターンは、複数のタイムスロットから構成され、少なくとも１つのタイムスロットは、前記発光パターン設定手段により発光可能な色または無発光を設定でき、前記発光時間設定により発光する時間を設定され、
前記制御信号によりＬＥＤ発光が指示された場合には、設定されたタイムスロットの内容に従って前記ＬＥＤ部を発光させることを特徴とする通信機器。
【請求項２】
発光可能なＬＥＤ部と、
前記ＬＥＤ部の発光パターンを設定する発光パターン設定手段と、
前記ＬＥＤ部を発光させるための制御信号を発生する制御信号発生手段と、
前記ＬＥＤ部の発光時間を設定する発光時間設定手段とを有し、
発光パターンは、発光する２つの色がそれぞれ異なる色または同じ色に選択可能であり、少なくとも１つの色について、前記発光時間設定手段により発光時間が設定可能であって、
前記制御信号によりＬＥＤ発光が指示されたとき、異なる色が設定された場合には、発光パターンに従って異なる色を交互に発光し、一方、同じ色が設定された場合には発光パターンに従って設定された色を発光し続けることを特徴とする通信機器。
【請求項３】
音声通信における着信時、非音声通信における着信時にＬＥＤを発光させ、音声における着信時と非音声における着信時では異なる発光パターンを設定可能である事を特徴とする請求項１乃至２に記載の通信機器。
【請求項４】
電話帳機能を有し、電話帳に記憶されている個人毎にＬＥＤの発光形態を選択できる事を特徴とする請求項１乃至３に記載の通信機器。
【請求項５】
前記電話帳機能において、１又は複数の個人をグループ化することが可能であり、グループ毎にＬＥＤの発光パターンを選択できる事を特徴とする請求項４に記載の通信機器。
【請求項６】
時計機能と、スケジュールを記憶しておくスケジュール機能を有し、スケジュール機能においてスケジュールが記憶されていて、そのスケジュールの時間になった場合、ＬＥＤを発光させる事ができ、その発光パターンを指定可能である事を特徴とする請求項１乃至５に記載の通信機器。
【請求項７】
アラーム機能を有し、アラーム設定された時間になると、ＬＥＤ部を発光させ、その発光パターンを指定可能である事を特徴とする請求項１乃至６に記載の通信機器。
【請求項８】
前記ＬＥＤ部は、赤、青、緑のＬＥＤ素子から構成され、各ＬＥＤ素子のオン及びオフを独立に制御して組み合わせることにより７色の発光が可能である事を特徴とする請求項１乃至７に記載の通信機器。
【請求項９】
前記ＬＥＤ部は４端子構造を有し、各ＬＥＤ素子の制御を独立して行なえる事を特徴とする請求項１乃至８に記載の通信機器。
【発明の詳細な説明】
【０００１】
【産業上の利用分野】
本発明は、LEDの点灯で各種の報知を行なう通信機器に関する。
【０００２】
【従来の技術】
従来の技術である三洋製ハイブリッド携帯端末RZ―J90の外観構成を図１に示す。同携帯端末は、電波を送受信するアンテナ（１）、着信を報知するためのLED部（２）、受信した音声を出力するスピーカ（３）、非音声情報や操作に必要な情報を表示するための表示部（４）、操作をするためのキーパッドで構成され、各機能を操作するためのＦキー（１２）及びカーソルを移動させるための十字キー（１３）を含む操作部（５）、及び、音声通話のための声を入力するマイク（６）で構成されている。
【０００３】
次に、従来技術の構成を図２にブロック図で示す。従来の携帯電話は、図に示すように、電波を送受信するアンテナ（１）、送受信信号を切り換えるためのデュプレクサ（８）、音声信号や非音声のメッセージを変調し、送信できる形態に変換する送信部（９）、受信した信号を復調するための受信部（１０）、着信時に点滅することで着信を報知するＬＥＤ部（２）、受信した音声信号を音として出力するスピーカ（３）、受信した非音声信号を表示したり、操作のために必要な情報を表示したりする表示部（４）、キー入力により種々の操作や設定を行なうための操作部（５）、電話帳データや送受信のメッセージを記憶したり、各種機能のプログラムデータや各設定パラメータを保存している記憶部（１１）、通話のための音声を入力するマイク（６）によって構成されている。
【０００４】
ここで、上記ＲＺ−Ｊ９０は、ＬＥＤ部にフルカラーＬＥＤを使用しており、赤、黄色、緑、水色、青、紫、白の7色の発光が可能である。一般にフルカラーＬＥＤは、赤、青、緑の3原色のＬＥＤがセットになって構成されており、制御信号によりこれらの３原色が組み合わされ７種類の色に発光するように構成されている。詳しくは、各３原色のＬＥＤがそれぞれオン、オフを独立して行なうことができ、制御信号によりそのオン、オフが切り換えられ、７種類の色が表現される。
【０００５】
ＲＺ−Ｊ９０は、上記の7種類の色を図１３に示すように、例えば着信は赤、目覚ましアラームは黄色、スケジュールは緑、メール受信は水色、スキスキコールは青と用途によって発光色を分けることができる。
【０００６】
ここで、スキスキコールとは、特定の相手を指定し、その相手からの着信については、他の人と異なる報知手段を用いて、着信があった場合に他の人と区別できるようにする機能である。
【０００７】
また、ＬＥＤの点滅パターンは、図１１に示すように、０．５秒間隔でオンとオフが繰り返される。
【０００８】
特に、ＲＺ−Ｊ９０のように、折畳み型の携帯電話機の場合は、図１に示すようにＬＥＤ部（２）を蓋部の外側（閉じた場合に見える側）に配置することにより、着信があった場合に、ＬＥＤの発光する色で、通常の着信か、メール着信か、或いは特定の人からの着信かを、蓋部を開けるこなく認識することができる。
【０００９】
【発明が解決しようとする課題】
上記のような従来技術では、報知のためのＬＥＤの発光色は７種類のみであり、点滅パターンも変更することができなかった。
【００１０】
そのため、図１３に示すようにＬＥＤの発光色を機能毎に変えることはできるが、着信相手毎に様々に変えることは出来なかった。即ち、ＬＥＤで様々な色を表現しようとすると、必要なＬＥＤの数も多数になり、コストアップになるばかりか、制御も複雑になる。さらに、携帯電話のような限られた大きさの筐体内に多くのパーツを組み入れることは不可能である。
【００１１】
さらに、着信報知の点滅パターンも変更することができないため、ユーザは自分の望むような着信報知設定を自由に行なうことはできななかった。
【００１２】
そこで、本願発明では、ハードウェアの構成を従来と変更することなく、ＬＥＤ部の着信報知パターンを多様化することを目的とする。
【００１３】
【課題を解決するための手段】
本願発明は、前記問題に鑑みなされたものであり、発光可能なＬＥＤ部と、ＬＥＤの発光パターンを設定する発光パターン設定手段と、ＬＥＤ部を発光させるための制御信号を発生する制御信号発生手段と、ＬＥＤ部の発光時間を設定する発光時間設定手段とを有し、発光パターンは、複数のタイムスロットから構成され、少なくとも１つのタイムスロットは、発光パターン設定手段により発光可能な色または無発光を設定でき、発光時間設定により発光する時間を設定され、制御信号によりＬＥＤ発光が指示された場合には、設定されたタイムスロットの内容に従ってＬＥＤを発光させることを特徴とするものである。
【００１４】
さらに本発明は、発光可能なＬＥＤ部と、ＬＥＤ部の発光パターンを設定する発光パターン設定手段と、ＬＥＤ部を発光させるための制御信号を発生する制御信号発生手段と、ＬＥＤ部の発光時間を設定する発光時間設定手段とを有し、発光パターンは、発光する２つの色がそれぞれ異なる色または同じ色に選択可能であり、少なくとも１つの色について、発光時間設定手段により発光時間が設定可能であって、制御信号によりＬＥＤ発光が指示されたとき、異なる色が設定された場合には、発光パターンに従って異なる色を交互に発光し、一方、同じ色が設定された場合には発光パターンに従って設定された色を発光し続けることを特徴とする通信機器である。
【００１６】
【発明の実施の形態】
以下、本発明の実施例を、図面に沿って具体的に説明する。
【００１７】
本発明に係る携帯通信機器の実施形態における外観は従来技術と同様であり、図１と同様の構成で実現することができる。また、本発明は、従来技術からハードウェア構成を変更せずに実施できることが一つの目的であるため、ハードウェアの構成は、図２に閉めすブロック図と同じになる。従って、これらに関する説明は、ここでは割愛する。
【００１８】
次に、本願発明のＬＥＤ設定の第一の実施例について、図３、図４、図６、図７、及び図８を基に説明する。図３、図４にはＬＥＤの点灯パターン、図６には画面遷移図を、図７にはフローチャート、図８にはＬＥＤの点灯制御を示している。
【００１９】
図６のフローチャートに示すように、操作部（５）に配置されたＦキー（１２）を操作することにより、ＬＥＤ設定機能を立ち上げる（Ｓ７０１）。具体的には、Ｆキーを操作すると、機能選択リストが表示され、その中からＬＥＤ選択リストを選択するという従来から一般的に使用されている方法により、ＬＥＤ設定機能を立ち上げることができる。ＬＥＤ設定機能が立ち上がると、表示部（４）に図６に示す画６１のような選択画面が表示される（Ｓ７０２）。次に、この選択画面より、各選択肢に相当する番号、即ち着信であれば１、目覚ましアラームであれば２、スケジュールであれば３、メール受信であれば４を操作部（５）より入力することによって選択できる。或いは、カーソルを十字（１３）等で移動させて選択しても構わない。
【００２０】
ここで、着信とは、着呼があった場合にＬＥＤを点滅させて報知する機能で、目覚ましアラームとは、目覚ましアラームが鳴る時に同時にＬＥＤを点滅させる機能で、スケジュールとは、スケジュール設定された時間になるとＬＥＤを点滅させて報知する機能で、メール受信とは、電子メール等の非音声情報を受信した場合にＬＥＤを点滅させて報知する機能のことである。
【００２１】
この選択画面（画６１）より、設定する報知機能を選択すると、着信、目覚まし、スケジュール、メール受信の各機能のＬＥＤ色の設定画面が表示部に表示される（Ｓ７０３、Ｓ７０４、Ｓ７０５、Ｓ７０６）。
【００２２】
図６には、スケジュールを選択した例を示しており、スケジュールを選択すると画６２に示すような画面が表示部（４）に表示される（Ｓ７０５）。
【００２３】
次に、ＬＥＤで発光する色を選択する。ＬＥＤは、フルカラーＬＥＤが使用されており、例えば株式会社光波製のチップＬＥＤダイオードＨＬ００６−Ｗ１１−ＳＡ１が使用可能であり、同ダイオードはコモンアノード、レッドカソード、グリーンカソード、ブルーカソードの４端子構成になっており、色の３原色である、赤、青、緑の３個ＬＥＤが内蔵された構成となっている。同ＬＥＤは、各３個のＬＥＤへのオン、オフ信号を各カソードへ供給することで、３個のＬＥＤの発光を組み合わせて、赤、青、緑、黄、紫、水色、白の７色の発光が可能な構成になっている。即ち、図８のように発光させることにより７色の発光が可能である。
【００２４】
色を選択する場合は、各色をカーソルを十字（１３）等で移動させて選択する（Ｓ７０７）。
【００２５】
単色の発光を選択する場合は、赤、青、緑、黄、紫、水色、白の７色を選択する。この場合、図３に示すようなパターンでＬＥＤが点滅する。即ち、図３のおけるＯＮのタイミングで選択された色が発光し、ＯＦＦでは消灯する。これらのＯＮ、ＯＦＦのタイミングは、例えば０．５秒単位で切替るものとする。
【００２６】
このように、単色が選択されると、本機能は終了する（Ｓ７１１）。
【００２７】
オリジナル色の発光を選択する場合は、その発光色の登録番号を選択する（例えば画６２におけるNo.１〜No．１３）。登録番号は複数有り、その数は各機器が内蔵するメモリ容量により決定され、いくつであっても構わない。各登録番号に相当する番号をカーソルを十字（１３）等で移動させて選択しても構わない。
【００２８】
このように、登録番号が選択され（Ｓ７０７）、それがオリジナルカラーである場合（Ｓ７０８）、表示部（４）には図６に示す画６３が表示される。
【００２９】
ここでオリジナルカラーは、図４に示すようにＬＥＤ点灯がなされる。即ち２色のカラー１とカラー２が交互に点灯する。ＬＥＤは点灯したままで色だけが交互に変わるという発光形態になる。カラー１とカラー２を同色に設定すると点滅せずに選択された色を連続的に点灯させることもできる。このカラー１とカラー２の切替タイミングは、図３の場合と同様に例えば０．５秒とすることができる。
【００３０】
図６の画６３では、登録番号Ｎｏ１を選択した場合を示しており、まずカラー１を選択する。選択方法は、上記の単色の７色の中から１色を選択する。選択方法は、画６３に示されているような各色に相当する番号を操作部から入力するか、十字キー等でカーソルを移動させて選択することが可能である。図６では、赤色を選択した例を示している。
【００３１】
このようにカラー１が選択されると（Ｓ７０９）、次に表示部（４）には、画６４に示すようなカラー２の選択画面が表示される。ここでもカラー１の選択の場合と同じ選択方法でカラー２を選択することができる（Ｓ７１０）。
【００３２】
カラー２が選択されると本ＬＥＤの−設定機能は終了する。
【００３３】
カラー２で例えば青色が選択されたとすると、スケジュール機能では、スケジュール設定された時間になると、ＬＥＤ部（２）が図４のパターンに従い、例えば０．５秒間隔で赤、青と色が入れ替わる発光がなされる。
【００３４】
上記の方法は、着信報知、目覚ましアラーム、メール着信などのＬＥＤ部による報知の場合も同様に行なうことができる。
【００３５】
さらにに、本願発明のＬＥＤ設定の第二の実施例について、図５、図９、及び図１０を基に説明する。図５には、ＬＥＤの点灯パターン、図９には画面遷移図を、図１０にはフローチャートを示している。
【００３６】
図１０のフローチャートに示すように、操作部（５）に配置されたＦキー（１２）を操作することにより、ＬＥＤ設定機能を立ち上げる（Ｓ１００１）。具体的には、Ｆキーを操作すると、機能選択リストが表示され、その中からＬＥＤ選択リストを選択するという従来から一般的に使用されている方法により、ＬＥＤ設定機能を立ち上げることができる。ＬＥＤ設定機能が立ち上がると、表示部（４）に図９に示す画９１のような選択画面が表示される（Ｓ１００２）。次に、この選択画面より、各選択肢に相当する番号、即ち着信であれば１、目覚ましアラームであれば２、スケジュールであれば３、メール受信であれば４を操作部（５）より入力することによって選択できる。或いは、カーソルを十字（１３）等で移動させて選択しても構わない。
【００３７】
ここで、着信とは、着呼があった場合にＬＥＤを点滅させて報知する機能で、目覚ましアラームとは、目覚ましアラームが鳴る時に同時にＬＥＤを点滅させる機能で、スケジュールとは、スケジュール設定された時間になるとＬＥＤを点滅させて報知する機能で、メール受信とは、電子メール等の非音声情報を受信した場合にＬＥＤを点滅させて報知する機能のことである。
【００３８】
この選択画面（画９１）より、設定する報知機能を選択すると、着信、目覚まし、スケジュール、メール受信の各機能のＬＥＤ色の設定画面が表示部に表示される（Ｓ１００３、Ｓ１００４、Ｓ１００５、Ｓ１００６）。
【００３９】
図１０には、スケジュールを選択した例を示しており、スケジュールを選択すると画９２に示すような画面が表示部（４）に表示される（Ｓ１００５）。
【００４０】
次に、ＬＥＤで発光する色を選択する。ＬＥＤは、フルカラーＬＥＤが使用されており、第一の実施例の場合と同様である。
【００４１】
色を選択する場合は、各色をカーソルを十字（１３）等で移動させて選択する（Ｓ１００７）。
【００４２】
単色の発光を選択する場合は、赤、青、緑、黄、紫、水色、白の７色を選択する。この場合、図３に示すようなパターンでＬＥＤが点滅する。即ち、図３のおけるＯＮのタイミングで選択された色が発光し、ＯＦＦでは消灯する。これらのＯＮ、ＯＦＦのタイミングは、例えば０．５秒単位で切替るものとする。
【００４３】
このように、単色が選択されると、本機能は終了する（Ｓ１０１１）。
【００４４】
オリジナル色の発光を選択する場合は、その発光色の登録番号を選択する（例えば、画９２のNo．１〜１３）。登録番号は複数有り、その数は各機器が内蔵するメモリ容量により決定され、いくつであっても構わない。各登録番号に相当する番号を、カーソルを十字（１３）等で移動させて選択しても構わない。
【００４５】
このように、登録番号が選択され（Ｓ１００７）、それがオリジナルカラーである場合（Ｓ１００８）、表示部（４）には図９に示す画９３が表示される。
【００４６】
ここでオリジナルカラーは、図５に示すようにＬＥＤ点灯がなされる。即ち各タイミングスロットに分かれ、各スロットでは、ＬＥＤの色を上記７色或いはＯＦＦに設定することができ、さらに各タイミングスロットにおける時間長を設定することができる。
【００４７】
図９の画９３では、登録番号Ｎｏ１を選択した場合を示しており、まずタイミングスロットＳ１を選択する。選択方法は、上記の単色の７色及びＯＦＦの中から１つを選択する。選択方法は、画９３に示されているような各色及びＯＦＦに相当する番号を操作部から入力するか、十字キー等でカーソルを移動させて選択することが可能である。図９では、赤色を選択した例を示している。
【００４８】
このように色が設定されると、次にタイミングスロットＳ１の時間長を設定する。表示部（４）における画面は、画９４にように変わり、ユーザは時間長（タイムスパン）を操作部（５）により入力する。図９では、デフォルト値である０．５秒が表示されている。操作部（５）を操作することで、この値は変えられる。本実施例では、デフォルト値である０．５秒に設定したものとする。
【００４９】
このようにタイミングスロットＳ１が選択されると（Ｓ１００９）、次に表示部（４）には、画９５に示すようなタイミングスロットＳ２の選択画面が表示される。ここでもタイミングスロットＳ１の選択の場合と同じ選択方法で色を選択し、時間長（タイムスパン）を選択することができる（画９６）。画９６では、デフォルト値である０．５秒が表示されている。操作部（５）を操作することで、この値は変えられる。ここでは、青色で１秒が設定されたものとする。（Ｓ１０１０）。
【００５０】
同様に繰り返して複数のタイミングスロットの条件を設定することができる。ＬＥＤの発光パターンがいくつのタイミングスロットで構成されているかは、その機器によるが、本願発明は、その数を限定するものではなく、いくつであっても構わない。さらに、その数は固定である必要はなく、ユーザが決めることができるようにしても構わない。
【００５１】
このように各タイミングスロットが設定されると本ＬＥＤの−設定機能は終了する（Ｓ１０１１）。
【００５２】
従って、タイミングスロットＳ１において赤色で０．５秒、タイミングスロットＳ２において青色で１秒、タイミングスロットＳ３において緑色で０．５秒、タイミングスロットＳ４において黄色で１秒、タイミングスロットＳ５において紫色で０．５秒、タイミングスロットＳ６において水色で１秒と設定したとすると、スケジュール設定された時間になると、ＬＥＤ部（２）が図５のパターンに従い、例えば赤で０．５秒、青で１秒、緑で０．５秒、黄色で１秒、紫で０．５秒、水色で１秒と色が入れ替わり、繰り返して発光がなされる。
【００５３】
上記の方法は、着信報知、目覚ましアラーム、メール着信などのＬＥＤ部による報知の場合も同様に行なうことができる。
【００５４】
次に、次に報知手段の選択方法について、図１１及び図１２を用いて説明する。図１１には画面遷移図を、図１２にはフローチャートを示している。
【００５５】
図１２のフローチャートに示すように、操作部（５）に配置されたＦキー（１２）を操作することにより、報知設定機能を立ち上げる（Ｓ１２０１）。具体的には、Ｆキーを操作すると、機能選択リストが表示され、その中から報知設定機能を選択するという従来から一般的に使用されている方法により、報知設定機能を立ち上げることができる。報知設定機能が立ち上がると、表示部（４）に図１１に示す画１１１のような選択画面が表示される（Ｓ１２０２）。次に、この選択画面より、各選択肢に相当する番号、即ち着信であれば１、目覚ましアラームであれば２、スケジュールであれば３、メール受信であれば４を操作部（５）より入力することによって選択できる。或いは、カーソルを十字（１３）等で移動させて選択しても構わない。
【００５６】
ここで、着信とは、着呼があった場合に報知する機能で、目覚ましアラームとは、目覚ましアラームが鳴る時の報知機能で、スケジュールとは、スケジュール設定された時間になったことを報知する機能で、メール受信とは、電子メール等の非音声情報を受信した場合に報知する機能のことである。
【００５７】
この選択画面（画１１１）より、設定する報知機能を選択すると、着信、目覚まし、スケジュール、メール受信の報知手段の設定画面が表示部に表示される（Ｓ１２０３、Ｓ１２０４、Ｓ１２０５、Ｓ１２０６）。即ち、着信又はメール着信を選択した場合は、図１１の画１１２のような画面が表示部（４）に表示され、スケジュールや目覚ましが選択された場合は、図１１の画１１３のような画面が表示部（４）に表示される。
【００５８】
スケジュール又は目覚ましを選択した場合、画１１３の選択画面より、設定する報知手段を選択する（Ｓ１２０７）。即ち、例えば、カーソルを十字（１３）の上下方向を操作して、移動させて選択すべき項目にあわせ、左右方向を操作すると、順次選択項目が変化して表示され、設定すべき種類に設定する。詳細は着信やメール受信を選択した場合と同じであるため、後述する。
【００５９】
また、着信又はメール着信を選択した場合、画１１２の選択画面より、名前もしくはグループ名を入力する（Ｓ１２０８）。具体的には、画１１２が表示されると最初に名前のところにカーソルがあり、前回設定した名前が表示される。そこで、十字キー（１３）の左右方向を操作して、電話帳データから設定すべき相手の名前を選択するか、或いは新規の場合は操作部（５）を操作して名前を入力する。この時、電話帳に登録されている相手をグループ分けしている場合は、そのグループ名を指定することもできる。
【００６０】
次に、画１１２上に表示されている報知手段（２〜５）の中から、カーソルを十字（１３）の上下方向を操作して移動させて、設定したい項目にあわせる（Ｓ１２０９）。次に、左右方向を操作すると、選択肢が変化して表示され、設定すべき選択肢で止めることで設定する（Ｓ１２１０、Ｓ１２１１、Ｓ１２１２、Ｓ１２１３）。
【００６１】
具体的には、報知音であれば、十字キー（１３）の左右方向を操作することで、着信音の種類及び着信メロディの種類が順次表示され、設定したい種類が表示された時点で十字キー操作を止めることにより設定される。（Ｓ１２１４）。また、ＬＥＤ発光の場合も同様に操作することで、上記のデフォルトの７色及びオリジナル色が順次表示され、設定できる（Ｓ１２１１）。また、振動と発呼者表示については、動作させるかどうかをＯＮ／ＯＦＦを同様に切り換えることで設定する（Ｓ１２１６）。
【００６２】
上記のように、一つの報知手段を設定した後、他の報知手段についても設定する場合は（Ｓ１２１７）、再度十字キー（１３）の上下方向を操作して報知手段を選択して（Ｓ１２０９）、上記と同様の操作を繰り返す。
【００６３】
また、他の報知手段は設定をしないが（Ｓ１２１７）、他の相手に対する設定を変えたい場合（Ｓ１２１８）、再度十字キー（１３）の上下方向を操作して名前を選択して（Ｓ１２０８）、上記と同様の操作を繰り返す。
【００６４】
他の相手に対する設定を変えない場合は、本操作を終了する。
【００６５】
上記の報知設定は、十字キー（１３）を使用する例を示したが、これは一実施例であり、この方法に限定されるものではない。
【００６６】
上記に示された実施例は、一実施例であり、本発明の技術思想を使った種々の実施形態が可能であり、本発明はその全ての実施形態を含む。
【００６７】
【発明の効果】
本第一の発明は、フルカラー発光可能なＬＥＤ部と、発光のパターンを設定する発光パターン設定手段と、ＬＥＤを発光させるための制御信号を発生する制御信号発生手段を有し、上記発光パターンは、複数のタイムスロットから構成され、上記発光パターン設定手段において各タイムスロットでは、発光可能な色もしくは無発光を選択設定でき、上記制御信号によりＬＥＤ発光が指示された場合には、上記の如く設定された各タイムスロットの設定内容に従ってＬＥＤを発光させることを特徴とする通信機器である。
【００６８】
従って、従来機器では実現できなかった多様なＬＥＤ発光形態が可能となった。さらに、本願発明は、上記発光パターン設定手段において、各タイムスロットの時間長を設定可能にすることで、その多様性はさらに向上された。
【００６９】
また、本第二の発明は、フルカラー発光可能なＬＥＤ部と、発光のパターンを設定する発光パターン設定手段と、ＬＥＤを発光させるための制御信号を発生する制御信号発生手段を有し、上記発光パターン設定手段においてでは、発光可能な色を２色選択でき、上記制御信号によりＬＥＤ発光が指示された場合には、上記の如く設定された２色が交互に発光することを特徴とする通信機器である。
【００７０】
従って、従来のように単色で固定の時間間隔で点滅させていいたハードウェア構造を変更することなく、従来ＬＥＤが消えていた期間に異なる色を発光させることで発光の形態を多様化することができた。
【００７１】
更に、本願発明では、音声通信における着信時、非音声通信における着信時にＬＥＤを発光させ、音声における着信時と非音声における着信時では異なる発光形態を設定可能であり、また、電話帳機能を有し、電話帳に記憶されている個人毎にＬＥＤの発光形態を選択したり、上記電話帳機能において、１又は複数の個人をグループ化することが可能であり、各グループ毎にＬＥＤの発光形態を選択できるように構成することが可能である。
【００７２】
このように構成することにより、発信者毎或いは発信者のグループ毎にＬＥＤ発光形態を異ならしめることができる。特に、折畳み式の携帯電話の場合では、マナーモードを設定していて、着信音や着信メロディにより発信者認識ができない場合に、折畳んだままの状態でもＬＥＤの発光形態で誰からの着信か認識することができるという効果がある。
【００７３】
さらに、時計機能と、スケジュールを記憶しておくスケジュール機能を有し、スケジュール機能においてスケジュールが記憶されていて、そのスケジュールの時間になった場合、ＬＥＤを発光させる事ができ、その発光形態を指定可能であるように構成したり、アラーム機能を有し、アラーム設定された時間になると、ＬＥＤを発光させ、その発光形態を指定可能であるように構成することもできる。
【００７４】
このように構成することにより、音声通信による着信、非音声通信による着信、スケジュール、アラームで異なる発光形態を設定することが可能で、ＬＥＤが発光したときに、何に関する報知注意であるかを容易に認識することができる。
【図面の簡単な説明】
【図１】本発明及び従来機器の外観図
【図２】本発明及び従来技術のブロック図
【図３】従来技術のＬＥＤ点滅パターン
【図４】本発明による第一のＬＥＤ点灯パターン
【図５】本発明による第二のＬＥＤ点灯パターン
【図６】第一の実施例における画面遷移図
【図７】第一の実施例におけるフローチャート
【図８】ＬＥＤの発光形態
【図９】第二の実施例における画面遷移図
【図１０】第二の実施例におけるフローチャート
【図１１】報知設定に関する画面遷移図
【図１２】報知設定に関するフローチャート
【図１３】従来のＬＥＤ設定画面
【符号の説明】
１    アンテナ
２    ＬＥＤ部
３    スピーカ
４    表示部
５    操作部
６    マイク
7    制御部
８    デュプレクサ
９    送信部
１０  受信部
１１  記憶部
１２  Ｆキー
１３  十字キー
【図１】
0003685755.tif 000002
【図２】
0003685755.tif 000003
【図３】
0003685755.tif 000004
【図４】
0003685755.tif 000005
【図５】
0003685755.tif 000006
【図６】
0003685755.tif 000007
【図７】
0003685755.tif 000008
【図８】
0003685755.tif 000009
【図９】
0003685755.tif 000010
【図１０】
0003685755.tif 000011
【図１１】
0003685755.tif 000012
【図１２】
0003685755.tif 000013
【図１３】
0003685755.tif 000014